(57)【要約】【課題】ユーザに無駄な行為を強いるのを避けることができる情報処理装置を提供する。【解決手段】画像形成装置１０１において、電話回線１１３のＦＡＸユニット１０７への挿入が検知され、且つハンドセット１１１のオフフックが要因であるオフフック割り込みを受けた場合、ＬＣＤタッチパネル５００が点灯され、電話回線１１３のＦＡＸユニット１０７への挿入が検知されない場合や電話回線１１３のＦＡＸユニット１０７への挿入が検知されても子電話１１２のオフフックが要因であるオフフック割り込みを受けた場合、ＬＣＤタッチパネル５００は点灯されない。【選択図】図７
2017118420.tif 000002
【特許請求の範囲】
【請求項１】
表示手段を備える情報処理装置であって、
通信回線が前記情報処理装置に接続されているか否かを検知する第１の検知手段と、
前記情報処理装置におけるオフフック状態を検知する第２の検知手段と、
前記表示手段を点灯させるか否かを制御する表示制御手段とを備え、
前記第１の検知手段が前記通信回線の前記情報処理装置への接続を検知し、且つ前記第２の検知手段が前記オフフック状態を検知した場合、前記表示制御手段は前記表示手段を点灯させ、
前記第１の検知手段が、前記通信回線の前記情報処理装置への非接続を検知し、且つ前記第２の検知手段が前記オフフック状態を検知した場合、前記表示制御手段は前記表示手段を点灯させないことを特徴とする情報処理装置。
【請求項２】
前記第１の検知手段が前記通信回線の前記情報処理装置への非接続を検知した場合、前記表示制御手段は、前記表示手段において前記通信回線が前記情報処理装置に接続されていないことを示すメッセージを表示することを特徴とする請求項１記載の情報処理装置。
【請求項３】
電話着信を受け付ける着信受付手段をさらに備え、
前記着信受付手段が前記電話着信を受け付けている間に前記第２の検知手段が前記オフフック状態を検知した場合、前記表示制御手段は前記表示手段を点灯させないことを特徴とする請求項１又は２記載の情報処理装置。
【請求項４】
前記表示手段はユーザの認証操作を受け付け、
前記第２の検知手段が前記オフフック状態を検知した場合、前記表示制御手段は前記表示手段を点灯させることを特徴とする請求項１又は２記載の情報処理装置。
【請求項５】
前記オフフック状態は、前記情報処理装置に設けられたハンドセット又は子電話がオフフックされた状態を含むことを特徴とする請求項１乃至４のいずれか１項に記載の情報処理装置。
【請求項６】
前記オフフック状態が前記子電話のオフフックに起因する場合、前記表示制御手段は前記表示手段を点灯させないことを特徴とする請求項５記載の情報処理装置。
【請求項７】
表示手段を備える情報処理装置の制御方法であって、
通信回線が前記情報処理装置に接続されているか否かを検知する第１の検知ステップと、
前記情報処理装置におけるオフフック状態を検知する第２の検知ステップと、
前記表示手段を点灯させるか否かを制御する表示制御ステップと、を備え、
前記第１の検知ステップにおいて前記通信回線の前記情報処理装置への接続が検知され、且つ前記第２の検知ステップにおいて前記オフフック状態が検知された場合、前記表示制御ステップにおいて前記表示手段が点灯し、
前記第１の検知ステップにおいて前記通信回線の前記情報処理装置への非接続が検知され、且つ前記第２の検知ステップにおいて前記オフフック状態が検知された場合、前記表示制御ステップにおいて前記表示手段が点灯しないことを特徴とする情報処理装置の制御方法。
【請求項８】
表示手段を備える情報処理装置の制御方法をコンピュータに実行させるプログラムであって、
前記情報処理装置の制御方法は、
通信回線が前記情報処理装置に接続されているか否かを検知する第１の検知ステップと、
前記情報処理装置におけるオフフック状態を検知する第２の検知ステップと、
前記表示手段を点灯させるか否かを制御する表示制御ステップと、を備え、
前記第１の検知ステップにおいて前記通信回線の前記情報処理装置への接続が検知され、且つ前記第２の検知ステップにおいて前記オフフック状態が検知された場合、前記表示制御ステップにおいて前記表示手段が点灯し、
前記第１の検知ステップにおいて前記通信回線の前記情報処理装置への非接続が検知され、且つ前記第２の検知ステップにおいて前記オフフック状態が検知された場合、前記表示制御ステップにおいて前記表示手段が点灯しないことを特徴とするプログラム。
【発明の詳細な説明】
【技術分野】
【０００１】
本発明は、情報処理装置、その制御方法、及びプログラムに関し、特に、表示手段の表示を制御する情報処理装置、その制御方法、及びプログラムに関する。
【背景技術】
【０００２】
近年、情報処理装置としての画像形成装置は高機能化が進み、原稿をスキャンして印刷するコピー機能のみならず、電話回線やネットワーク回線に接続してＦＡＸ通信を行うＦＡＸ機能や、ハンドセットや子電話を介して通話を行う通話機能を備えている。また、画像形成装置では省電力化も進み、ユーザが当該画像形成装置を使用していないときには画像形成装置の一部のデバイスに対する通電を停止し、ユーザの操作を受け付ける表示画面を消灯する省電力機能も備えている。このような省電力機能を備える画像形成装置では、ユーザが当該画像形成装置の使用を試みる際に、表示画面が消灯される低電力状態から表示画面が点灯されるスタンバイ状態へ遷移する。例えば、特許文献１は、ハンドセットや子電話がオフフックされると、低電力状態からスタンバイ状態に遷移する通信装置を開示する。特許文献１の通信装置では、ハンドセットや子電話をオフフックしたユーザが点灯された表示画面へ通信先の電話番号を入力して通話機能やＦＡＸ機能を使用する。
【先行技術文献】
【特許文献】
【０００３】
【特許文献１】特開２０００−１３５２３号公報
【発明の概要】
【発明が解決しようとする課題】
【０００４】
しかしながら、通信装置において電話回線ケーブルが当該通信装置に挿入されていない場合がある。この場合、通信装置がスタンバイ状態へ遷移したとしても、ユーザは表示画面へ通信先の電話番号を入力することができるにもかかわらず、通話機能やＦＡＸ機能を使用することができない。つまり、特許文献１の通信装置では、ユーザは、通話機能やＦＡＸ機能が使えない状況であっても、表示画面へ通信先の電話番号を入力した後に、初めてその状況を知ることになる。その結果、ユーザに無駄な行為を強いることになる。
【０００５】
本発明の目的は、ユーザに無駄な行為を強いるのを避けることができる情報処理装置、その制御方法、及びプログラムを提供することにある。
【課題を解決するための手段】
【０００６】
上記目的を達成するために、本発明の情報処理装置は、表示手段を備える情報処理装置であって、通信回線が前記情報処理装置に接続されているか否かを検知する第１の検知手段と、前記情報処理装置におけるオフフック状態を検知する第２の検知手段と、前記表示手段を点灯させるか否かを制御する表示制御手段とを備え、前記第１の検知手段が前記通信回線の前記情報処理装置への接続を検知し、且つ前記第２の検知手段が前記オフフック状態を検知した場合、前記表示制御手段は前記表示手段を点灯させ、前記第１の検知手段が、前記通信回線の前記情報処理装置への非接続を検知し、且つ前記第２の検知手段が前記オフフック状態を検知した場合、前記表示制御手段は前記表示手段を点灯させないことを特徴とする。
【発明の効果】
【０００７】
本発明によれば、ユーザに無駄な行為を強いるのを避けることができる。
【図面の簡単な説明】
【０００８】
【図１】本発明の第１の実施の形態に係る情報処理装置としての画像形成装置を含む画像形成システムの構成を概略的に示す図である。
【図２】図１における画像形成装置のコントローラ及び周辺装置の構成を概略的に示すブロック図である。
【図３】図１における画像形成装置の電源構成を説明するための図である。
【図４】図２におけるコントローラのスリープ状態時の電力供給を説明するための図である。
【図５】図１における画像形成装置の操作部の構成を示す図である。
【図６】図５に示すＬＣＤタッチパネルに表示される宛先番号入力画面を説明するための図である。
【図７】本発明の第１の実施の形態に係る情報処理装置の制御方法としてのスリープ復帰処理の手順を示すフローチャートである。
【図８】本発明の第２の実施の形態に係る情報処理装置の制御方法としてのスリープ復帰処理においてＬＣＤタッチパネルに表示される宛先番号入力画面を示す図である。
【図９】本発明の第２の実施の形態に係る情報処理装置の制御方法としてのスリープ復帰処理の手順を示すフローチャートである。
【図１０】本発明の第３の実施の形態に係る情報処理装置の制御方法としてのスリープ復帰処理の手順を示すフローチャートである。
【図１１】本発明の第４の実施の形態に係る情報処理装置の制御方法としてのスリープ復帰処理の手順を示すフローチャートである。
【発明を実施するための形態】
【０００９】
以下、本発明の実施の形態について図面を参照しながら詳述する。
【００１０】
図１は、本発明の第１の実施の形態に係る情報処理装置としての画像形成装置１０１を含む画像形成システムの構成を概略的に示す図である。本実施の形態において、画像形成装置１０１は、例えば、通話機能、ＦＡＸ機能、プリント機能、スキャナ機能、データ通信機能等を実行可能な複合機である。
【００１１】
図１において、画像形成装置１０１は、スキャナ装置１０２、コントローラ１０３、プリンタ装置１０４、操作部１０５、ハードディスク（ＨＤＤとも呼ぶ）１０６、及びＦＡＸユニット１０７を備える。
【００１２】
スキャナ装置１０２は、原稿束を自動的に入れ替えることが可能な原稿給紙ユニット１２１、及び原稿から光学的に画像を読み取って画像データに変換するスキャナユニット１２２からなる。スキャナユニット１２２において変換された画像データは、コントローラ１０３に送信される。コントローラ１０３は、スキャナ装置１０２、プリンタ装置１０４、操作部１０５、ＨＤＤ１０６、及びＦＡＸユニット１０７の各モジュールと接続され、これらの各モジュールに指示を発行することにより、画像形成装置１０１を統括的に制御する。プリンタ装置１０４は、用紙束から一枚ずつ用紙を給紙可能な給紙ユニット１４２、給紙された用紙に画像データを印刷するマーキングユニット１４１、及び印刷済みの用紙を排紙する排紙ユニット１４３からなり、画像データを用紙等の紙媒体に出力する。
【００１３】
操作部１０５は、後述するＬＣＤタッチパネル５００（表示手段）及びハードキー等を備え、これらを介してユーザから画像形成装置１０１に対する設定を受け付ける。ＨＤＤ１０６は、画像データや画像形成装置１０１の制御プログラム等を記憶する。ＦＡＸユニット１０７は、電話回線１１３（通信回線）等を通じて外部装置（図示しない）と間で画像データを送受信する。また、ＦＡＸユニット１０７は、受話部に番号入力キーを持たないハンドセット１１１及び受話部に番号入力キーを持つ子電話１１２と接続される。ハンドセット１１１及び子電話１１２は、通常、電話器として用いられるが、音声応答のＦＡＸ情報サービスや、交換手を介する外部発信、及び後述するオフフックキー６０５（図６参照）を用いて実行可能な手動送受信等にも用いられる。電話回線１１３を用いた通話機能及びＦＡＸ機能は、ハンドセット１１１及び子電話１１２のオフフック又はオフフックキー６０５を押下することによって実現される。
【００１４】
画像形成装置１０１にはフィニッシャ装置１５０が接続され、フィニッシャ装置１５０は、プリンタ装置１０４の排紙ユニット１４３から排紙された用紙に対してソート、ステープル、パンチ、裁断等の加工を施す。コントローラ１０３には電源スイッチ１１０が接続される。電源スイッチ１１０がオンの場合は、少なくとも操作部１０５、及び後述する電源制御部３０２を含むコントローラ１０３の後述するメインボード２００の一部に電力が供給される。また、電源スイッチ１１０がオフになっても即時に電力の供給が停止されるわけではない。すなわち、起動中のソフトウエアやハードウエアの終了を待った上で、後述する電源制御部３０２の一部等、電源スイッチ１１０をオンにするために必要な部分以外の構成要素に対する電力の供給が停止される。
【００１５】
また、画像形成装置１０１は、ＬＡＮ１０８を介してコンピュータ１０９と接続される。画像形成装置１０１は、コンピュータ１０９との間で画像データの送受信及びコンピュータ１０９からのジョブの受信を行い、さらに、コンピュータ１０９の画像形成装置１０１に対する指示の受信を行う。なお、画像形成装置１０１に接続されるコンピュータの数は１台に限られず、複数台であってもよい。
【００１６】
本実施の形態において、画像形成装置１０１は、スキャナ装置１０２から読み込んだ画像データをＨＤＤ１０６に記録し、該画像データを同時にプリンタ装置１０４で印刷するコピー機能を備える。画像形成装置１０１は、スキャナ装置１０２から読み込んだ画像データをＬＡＮ１０８を介してコンピュータ１０９に送信する画像送信機能を備える。画像形成装置１０１は、スキャナ装置１０２から読み込んだ画像データをＨＤＤ１０６に記録し、当該画像データを必要に応じて送信又は印刷する画像保存機能を備える。さらに、画像形成装置１０１は、コンピュータ１０９から送信された画像データに含まれる、例えば、ページ記述言語を解析し、当該画像データをプリンタ装置１０４で印刷する画像印刷機能を備える。
【００１７】
図２は、図１における画像形成装置１０１のコントローラ１０３及び周辺装置の構成を概略的に示すブロック図である。図２に示すように、コントローラ１０３はメインボード２００及び後述するサブボード２２０から構成される。
【００１８】
メインボード２００はいわゆる汎用的なＣＰＵシステムであり、ＣＰＵ２０１、ブートＲＯＭ２０２、メモリ２０３、バスコントローラ２０４、不揮発性メモリ２０５、ディスクコントローラ２０６、及びフラッシュディスク２０７を備える。メインボード２００はさらに、ＵＳＢコントローラ２０８、ＣＰＬＤ（Complex Programmable Logic Device）２１０、ネットワークコントローラ２１１、及びリアルタイムクロック（ＲＴＣ）２１２を備える。また、メインボード２００には、操作部１０５、ＨＤＤ１０６、ＵＳＢメモリ２０９等が接続される。
【００１９】
ＣＰＵ２０１はメインボード２００全体を制御する。ブートＲＯＭ２０２はブートプログラムを記憶する。メモリ２０３はＣＰＵ２０１のワークメモリとして機能する。バスコントローラ２０４はサブボード２２０の後述するバスコントローラ２２４とのブリッジ機能を有する。不揮発性メモリ２０５は画像形成装置１０１の電源が遮断された場合でも記憶されたデータが消去されないメモリである。ディスクコントローラ２０６はＨＤＤ１０６やフラッシュディスク２０７等のストレージ装置を制御する。フラッシュディスク２０７は、例えば、半導体デバイスで構成された比較的小容量のストレージ装置としてのＳＳＤである。ＵＳＢコントローラ２０８はＵＳＢメモリ２０９を制御する。また、ＣＰＵ２０１は、各ユニットからの割り込み信号や各ユニットに対する電力供給を制御するＣＰＬＤ２１０、ネットワークコントローラ２１１、ＲＴＣ２１２、及びＵＳＢコントローラ２０８と接続される。さらに、ＣＰＵ２０１は、ＣＰＬＤ２１０を介してスキャナ装置１０２、プリンタ装置１０４、ＦＡＸユニット１０７、及びフィニッシャ装置１５０と接続される。
【００２０】
サブボード２２０は比較的小さなＣＰＵシステムと画像処理に関連するハードウエアから構成され、ＣＰＵ２２１、メモリ２２３、バスコントローラ２２４、不揮発性メモリ２２５、デバイスコントローラ２２６、及び画像処理プロセッサ２２７を備える。ＣＰＵ２２１はサブボード２２０全体を制御する。メモリ２２３はＣＰＵ２２１のワークメモリとして機能する。バスコントローラ２２４はメインボード２００のバスコントローラ２０４とのブリッジ機能を有する。不揮発性メモリ２２５は画像形成装置１０１の電源が遮断された場合でも記憶されたデータが消去されないメモリである。デバイスコントローラ２２６及び画像処理プロセッサ２２７はリアルタイムデジタル画像処理を行なう。また、ＣＰＵ２２１はコントローラ１０３に接続されたＦＡＸユニット１０７を直接制御する。
【００２１】
スキャナ装置１０２及びプリンタ装置１０４は、デバイスコントローラ２２６を介してサブボード２２０と画像データの受け渡しを行う。なお、図２のコントローラ１０３において、ＣＰＵ２０１及びＣＰＵ２２１にはチップセット、バスブリッジ、クロックジェネレータ等のＣＰＵ周辺ハードウエアが多数含まれているが、説明を容易にするため簡略化されている。なお、本発明が適用される構成は図２に示される構成に制限されない。
【００２２】
コントローラ１０３では、ユーザが操作部１０５からコピー機能の実行を指示すると、ＣＰＵ２０１はＣＰＵ２２１を介してスキャナ装置１０２に画像読取命令を送信する。画像読取命令を受信したスキャナ装置１０２は原稿を光学スキャンして画像データを生成し、生成した画像データをデバイスコントローラ２２６を介して画像処理プロセッサ２２７に入力する。画像処理プロセッサ２２７は、ＣＰＵ２２１を介してメモリ２２３にＤＭＡ転送を行い、画像データを一時保存する。
【００２３】
画像データがメモリ２２３に一定量、若しくは全て保存されたことを確認すると、ＣＰＵ２０１はＣＰＵ２２１を介してプリンタ装置１０４に画像出力命令を送信する。次いで、ＣＰＵ２２１は、画像データが保存されたメモリ２２３上のアドレスを画像処理プロセッサ２２７に通知する。次いで、メモリ２２３に保存された画像データは、プリンタ装置１０４から出力された同期信号にしたがって、画像処理プロセッサ２２７及びデバイスコントローラ２２６を介してプリンタ装置１０４に送信される。プリンタ装置１０４は受信した画像データを用紙に印刷する。なお、複数部数の印刷を行う場合は、ＣＰＵ２０１はメモリ２２３に保存された画像データをＨＤＤ１０６に保存する。これにより、プリンタ装置１０４は２部目以降を印刷する際にはスキャナ装置１０２を介することなく、ＨＤＤ１０６から画像データを受信し、印刷を実行することが可能となる。
【００２４】
図３は、図１における画像形成装置１０１の電源構成を説明するための図である。
【００２５】
画像形成装置１０１は電源構成として、コントローラ１０３、電源３０１、及び電源制御部３０２を主な構成要素として備える。電源制御部３０２には、電源３０１から常夜電源ラインである電源ライン３０６を介して常時電力が供給される。したがって、電源制御部３０２には画像形成装置１０１のシャットダウン状態でも通電される。また、電源３０１から非常夜電源ラインである電源ライン３０７を介してコントローラ１０３に対して電力が供給され、電源３０１から非常夜電源ラインである電源ライン３０８を介してプリンタ装置１０４に対して電力が供給される。さらに、電源３０１から常夜電源ラインである電源ライン３１２を介してＦＡＸユニット１０７に対して電力が供給される。電源制御部３０２はＣＰＬＤ２１０を含み、ＣＰＬＤ２１０は電力供給を行うに当たって下記の処理を実行するように予めプログラムされている。すなわち、ＣＰＬＤ２１０は、第１の電源制御ＩＯ信号Ｖ＿ＯＮ３０９を出力することによって電源ライン３０７が有するリレースイッチ３０３の接続状態を切り替える。これにより、電源３０１から電源ライン３０７を介してコントローラ１０３に対して行われる電力供給が制御される。
【００２６】
ＣＰＬＤ２１０はＣＰＵ２０１と通信を行い、当該通信において設定された複数のタイマ値に基づいて内蔵のタイマ（不図示）が起動されると、ＣＰＵ２０１によって設定された処理を実行する。また、ＣＰＬＤ２１０は、第２の電源制御ＩＯ信号Ｐ＿ＯＮ３１０を出力することによって電源ライン３０８が有するリレースイッチ３０４の状態を切り替える。これにより、電源３０１から電源ライン３０８を介してプリンタ装置１０４に対して行われる電力供給が制御される。
【００２７】
さらに、ＣＰＬＤ２１０は、ＣＰＵ２０１からの指示に基づいて所定のＩＯ信号を出力する。所定のＩＯ信号は、例えば、ＣＰＬＤ２１０とプリンタ装置１０４の間のＤＣＯＮ＿ＬＩＶＥＷＡＫＥ信号３１３である。ＤＣＯＮ＿ＬＩＶＥＷＡＫＥ信号３１３がアサートされた状態でプリンタ装置１０４に電力が供給されると、プリンタ装置１０４は電力を消費するような特定の動作を行うことなく静かに復帰する。プリンタ装置１０４はＩＮＴ＿ＤＣＯＮ信号３１４を出力してＣＰＬＤ２１０に復帰した旨を通知する。なお、上述した特定の動作には、例えば、プリンタ装置１０４のモータ、ローラ、ポリゴンミラー等の回転動作や、ドラム３２１〜３２４の温調及びファン３２５を使用する排熱処理などが含まれる。
【００２８】
ＣＰＬＤ２１０は、第３の電源制御ＩＯ信号Ｎ＿ＯＮ３１１を出力することによって電源ライン３１２が有するリレースイッチ３０５の状態を切り替える。これにより、電源３０１から電源ライン３１２を介してＦＡＸユニット１０７に対して行われる電力供給が制御される。なお、ＦＡＸユニット１０７に対しては、通常状態だけではなくスリープ状態においても電力が供給される。スリープ状態において電話回線１１３を介して外部からの着信があった場合、当該着信を受信したＦＡＸユニット１０７はＣＰＬＤ２１０に対して着信やオンフックの検知を通知するＩＮＴ＿ＦＡＸ信号３１５を出力する。これにより、ＣＰＬＤ２１０に着信があった旨が通知されるため、着信に応答して画像形成装置１０１をスリープ状態から復帰させることができる。さらに、ＦＡＸユニット１０７に接続されたハンドセット１１１及び子電話１１２がオフフックされた場合、当該オフフックを検知したＦＡＸユニット１０７がＣＰＬＤ２１０に対してＩＮＴ＿ＦＡＸ信号３１５を出力する。これにより、ＣＰＬＤ２１０にオフフックを検知した旨が通知されるため、オフフックに応答して画像形成装置１０１をスリープ状態から復帰させることができる。なお、シャットダウン状態では、電源ライン３１２に電力は供給されない。
【００２９】
なお、図３に示す各ブロック、例えば、電源制御部３０２、コントローラ１０３、プリンタ装置１０４及びＦＡＸユニット１０７に対する電源制御は、例えば、２系統のリレースイッチを用いて行ってもよい。この場合、スリープ状態では電力を供給しないブロックに接続された一方のリレースイッチのみをオフ、他方のリレースイッチをオンとし、シャットダウン状態では２系統のリレースイッチの両方をオフとする。２系統のリレースイッチを用いる場合、電源制御には二値制御信号ではなく通電状態に応じた多値制御信号が用いられる。また、スキャナ装置１０２に対してもプリンタ装置１０４と同様の電力供給が行われるため、ここでの説明は省略する。さらに、図３において、スキャナ装置１０２に対する電源制御信号及び電源ラインは図示されていないが、スキャナ装置１０２は電源制御信号及び電源ラインをプリンタ装置１０４と共用としてもよい。
【００３０】
次に、画像形成装置１０１における起動時、通常状態時、画像印刷機能実行時、スリープ状態への移行時、スリープ状態時、及びスリープ状態からの復帰時の電力供給について説明する。
【００３１】
まず、画像形成装置１０１の起動時の電力供給について説明する。画像形成装置１０１を使用を開始する場合、ユーザは、まず電源スイッチ１１０をオンにする。電源スイッチ１１０のオンを受けて、電源３０１は電源ライン３０６を介してＣＰＬＤ２１０に対して電源オンを通知する。電源オンが通知されると、ＣＰＬＤ２１０は第１の電源制御ＩＯ信号Ｖ＿ＯＮ３０９及び第２の電源制御ＩＯ信号Ｐ＿ＯＮ３１０を出力することにより、リレースイッチ３０３、３０４をオンに切り替える。これにより、電源３０１から画像形成装置１０１全体に電力が供給される。
【００３２】
このように、電源制御部３０２は、起動時には画像形成装置１０１全体、具体的には、コントローラ１０３、プリンタ装置１０４、及びスキャナ装置１０２に各電力供給ラインを介して電力の供給を行う。これを受けて、プリンタ装置１０４及びスキャナ装置１０２の各々のＣＰＵは起動時の初期化を行う。電源３０１から電力が供給されると、コントローラ１０３のＣＰＵ２０１は、まず、各ハードウエアの初期化、例えば、レジスタの初期化、割り込み信号の初期化、カーネル起動時のデバイスドライバの登録、操作部１０５の初期化等を行う。次いで、ＣＰＵ２０１はソフトウエアの初期化、例えば、各ライブラリの初期化ルーチンの呼び出し、プロセスやスレッドの起動、プリンタ装置１０４やスキャナ装置１０２と通信を行うソフトウエアサービスの起動、操作部１０５の描画等を行う。これらの初期化が終了すると、画像形成装置１０１はスタンバイ状態へ移行する。
【００３３】
次に、画像形成装置１０１が通常状態時の電力供給について説明する。通常状態では、画像形成装置１０１の全てのユニットに対する電力供給だけではなく、プリンタ装置１０４及びスキャナ装置１０２に対する電力供給も行われる。但し、印刷処理を実行していない場合は、プリンタ装置１０４に対して電力が供給されない。また、プリンタ装置１０４が動作待ち状態の場合には、プリンタ装置１０４に対して電力が供給されていても、印刷に用いられるモータやポリゴンミラーを動作させないように（プリンタ装置１０４の各ユニットへの電力供給が制限される。さらに、操作部１０５のＬＣＤタッチパネル５００が点灯しておらず、ユーザが画像形成装置１０１の前に居ないことが分かっている場合は、スキャナ装置１０２に対して電力が供給されない。また、スキャナ装置１０２が動作待ち状態の場合には、スキャナ装置１０２に対して電力が供給されていても、画像読み取りのためのホームポジション検知部を動作させないように各ユニットへの電力供給が制限される。
【００３４】
次に、画像形成装置１０１における画像印刷機能実行時の電力供給について説明する。コンピュータ１０９からＬＡＮ１０８を経由して画像データを受信すると、ＣＰＵ２０１は受信した画像データを解析して印刷ジョブを生成する。ＣＰＵ２０１が画像印刷機能を実行する旨をＣＰＬＤ２１０に通知すると、ＣＰＬＤ２１０は第２の電源制御ＩＯ信号Ｐ＿ＯＮ３１０を出力することによってリレースイッチ３０４をオンに切り替える。これにより、電源３０１から電源ライン３０８経由でプリンタ装置１０４に電力が供給される。プリンタ装置１０４に電力が供給されると、ＣＰＵ２０１は生成した印刷ジョブを実行する。ここで、ＣＰＵ２０１は、メモリ２０３、バスコントローラ２２４及びＣＰＵ２２１に画像データを送信するとともに、画像処理プロセッサ２２７及びデバイスコントローラ２２６を介してプリンタ装置１０４へ画像データを送信する。プリンタ装置１０４は受信した画像データに基づいて印刷を実行し、印刷が完了すると、結果をＣＰＵ２０１に通知する。プリンタ装置１０４から通知を受けると、ＣＰＵ２０１はその旨をＣＰＬＤ２１０に通知し、ＣＰＬＤ２１０は第２の電源制御ＩＯ信号Ｐ＿ＯＮ３１０を出力してリレースイッチ３０４をオフとする。これにより、プリンタ装置１０４への電力の供給が遮断される。
【００３５】
続いて、コントローラ１０３のスリープ状態への移行時の電力供給について説明する。ユーザが画像形成装置１０１を使用せずにスタンバイ状態が一定時間続くと、コントローラ１０３のＣＰＵ２０１はスリープ状態に遷移する。なお、本実施の形態において、スリープ状態とは、画像形成装置１０１における電力消費量を抑えつつ、起動時間を通常起動時よりも短くすることができる状態をいう。ここで、ＣＰＵ２０１は電源制御部３０２のＣＰＬＤ２１０に対してスリープ状態への移行を通知し、ＣＰＬＤ２１０は電源３０１からコントローラ１０３への電力供給を制御する。
【００３６】
次に、コントローラ１０３のスリープ状態時の電力供給について説明する。図４は、コントローラ１０３のスリープ状態時の電力供給を説明するための図である。図４において、電力が供給されていない構成要素は網かけで示される。
【００３７】
まず、画像形成装置１０１は、ユーザがスタンバイ状態の画像形成装置１０１を操作せずに一定時間が経過した場合、ユーザが操作部１０５上の節電キー５０９（図５参照）を押下した場合、又は予め設定された時刻に達した場合等に、スリープ状態に遷移する。スリープ状態では、コントローラ１０３上のメインボード２００のＣＰＬＤ２１０、メモリ２０３等に電力が供給される。また、メインボード２００のＵＳＢコントローラ２０８、ネットワークコントローラ２１１及びＲＴＣ２１２、操作部１０５の後述する節電キー５０９、並びにＦＡＸユニット１０７の着信検知部にも電力が供給される。さらにプリンタ装置１０４、スキャナ装置１０２及びフィニッシャ装置１５０の一部の各種センサ等にも電力が供給される。各種センサは、例えば、プリンタ装置１０４のドアカバーオープン、トナーカバーオープン、及び手差し用紙トレイ検知、並びにスキャナ装置１０２の圧板開、及びフィーダ原稿の検知を行うセンサを含む。なお、図示されてはいないが、ハンドセット１１１及び子電話１１２の制御部にも電力が供給される。
【００３８】
続いて、コントローラ１０３のスリープ状態からの復帰時の電力供給について説明する。スリープ状態において、ＣＰＬＤ２１０は、ネットワーク着信、ＲＴＣ２１２、電話着信やＦＡＸ着信やオフフックを検知するＦＡＸユニット１０７、節電キー５０９、各種センサ、ＵＳＢ等からの１つ以上の割り込み信号（以下、「スリープ復帰要因」という。）を受けると、電力の供給を開始する。ＣＰＬＤ２１０は、スリープ復帰要因を受けた旨をＣＰＵ２０１に通知し、通知を受けたＣＰＵ２０１は電力供給の状態やソフトウエアの状態をスリープ状態から通常状態に戻す処理、すなわち、スリープ復帰処理を行う。例えば、節電キー５０９の押下を検知した場合、まず、ＣＰＬＤ２１０は節電キー５０９の押下に応答してＣＰＵ２０１をスリープ状態から復帰させる。スリープ状態から復帰すると、ＣＰＵ２０１はスリープ状態から復帰した旨をＣＰＬＤ２１０に通知する。通知を受けたＣＰＬＤ２１０は第１の電源制御ＩＯ信号Ｖ＿ＯＮ３０９及び第２の電源制御ＩＯ信号Ｐ＿ＯＮ３１０を出力してリレースイッチ３０３、３０４をオンに切り替える。これにより、電源３０１から各電源ラインを介してコントローラ１０３、プリンタ装置１０４、及びスキャナ装置１０２に電力が供給される。ここで、例えば、印刷ジョブが終了すると、ＣＰＵ２０１は再びスリープ状態に遷移する。このとき、ＣＰＵ２０１は、スリープ状態に遷移したことをＣＰＬＤ２１０に通知する。通知を受けたＣＰＬＤ２１０は第２の電源制御ＩＯ信号Ｐ＿ＯＮ３１０を出力してリレースイッチ３０４をオフに切り替える。これにより、電源３０１はコントローラ１０３以外への電力の供給を停止する。
【００３９】
また、例えば、ネットワーク着信を受けた場合、ＣＰＬＤ２１０はネットワーク着信に応答し、第１の電源制御ＩＯ信号Ｖ＿ＯＮ３０９を出力してリレースイッチ３０３をオンに切り替える。これにより、電源３０１からコントローラ１０３に電力が供給されるため、ＣＰＵ２０１がスリープ状態から復帰する。なお、プリンタ装置１０４及びスキャナ装置１０２は、印刷ジョブが生成されていない場合や、デバイス情報の取得が不要な場合には電力を供給しなくてもよい。また、スリープ復帰要因は上記の例に限られず、また、スリープ状態における電力供給状態も上記の例に限られない。
【００４０】
図５は、図１に示す画像形成装置１０１の操作部１０５の構成を示す図である。
【００４１】
操作部１０５は、ＬＣＤタッチパネル５００、テンキー５０１、ＩＤキー５０２、リセットキー５０３、ガイドキー５０４、ユーザモードキー５０５、割り込みキー５０６、スタートキー５０７、ストップキー５０８、及び節電キー５０９を備える。また、操作部１０５は、カウンタ確認キー５１０、画面コントラストキー５１１、ジョブＬＥＤ５１２、エラーＬＥＤ５１３、及び電源ＬＥＤ５１４を備える。さらに、操作部１０５は画像形成装置１０１を操作するためのユーザＩ／Ｆとして機能する。
【００４２】
テンキー５０１は０〜９の数値を入力する際に用いられる。ＩＤキー５０２は画像形成装置１０１においてユーザの部門管理がなされている場合に、部門番号と暗証コードを入力する際に用いられる。リセットキー５０３は設定されたモードをリセットする際に用いられる。ガイドキー５０４は各モードについての説明画面をＬＣＤタッチパネル５００に表示する際に用いられる。ユーザモードキー５０５はユーザモード画面を呼び出す際に用いられる。割り込みキー５０６は割り込みコピーを行う際に用いられる。スタートキー５０７はコピー動作をスタートさせる際、ストップキー５０８は実行中のジョブを中止させるために用いられる。節電キー５０９は、ＬＣＤタッチパネル５００を消灯させて画像形成装置１０１をスリープ状態に遷移させるためやＬＣＤタッチパネル５００を点灯させて画像形成装置１０１をスリープ状態から復帰させるために用いられる。カウンタ確認キー５１０は、使用した用紙の集計を表示するカウント画面をＬＣＤタッチパネル５００に表示させる際に用いられる。画面コントラストキー５１１は、ＬＣＤタッチパネル５００のコントラストを調整する際に用いられる。ジョブＬＥＤ５１２は、印刷ジョブが実行中であることやメモリへの画像データが蓄積中であることを示す。エラーＬＥＤ５１３は、ジャムやドアオープン等、画像形成装置１０１がエラー状態にあることを示す。電源ＬＥＤ５１４は、電源スイッチ１１０のオン／オフを示す。
【００４３】
ＬＣＤタッチパネル５００には各種キー５５１〜５５６が表示され、各種キー５５１〜５５６は画像形成装置１０１の各機能を実行する際に用いられる。例えば、「コピー」キー５５１が押下されるとコピー画面が表示され、「スキャンして保存」キー５５２が押下されるとスキャナ装置１０２でスキャンした画像をＨＤＤ１０６に保存するための画面が表示される。また、「保存文書の印刷」キー５５３が押下されるとＨＤＤ１０６に保存された画像データをプリンタ装置１０４で印刷するためのプリント画面が表示される。「スキャンして送信」キー５５４が押下されると、スキャナ装置１０２でスキャンした画像をＬＡＮ１０８を経由してコンピュータ１０９等の外部装置へ送るため画面が表示される。さらに、「ＦＡＸ」キー５５５が押下されると、ＦＡＸユニット１０７が電話回線１１３を介して受信したデータをプリンタ装置１０４で印刷するためのＦＡＸ画面が表示される。あるいは、「ＦＡＸ」キー５５５が押下されると、スキャナ装置１０２でスキャンした画像をＦＡＸユニット１０７から電話回線１１３へ送信するためのＦＡＸ画面が表示される。「電力見える化」キー５５６が押下されると、画像形成装置１０１の電力状態を確認するための画面が表示される。
【００４４】
なお、各種キー５５１〜５５６に対応する機能は画像形成装置１０１が備える機能の一例であり、ＬＣＤタッチパネル５００の右側に表示されるスクロールバーをスクロールすることによって他の機能を表示させることができる。
【００４５】
図６は、図５に示すＬＣＤタッチパネル５００に表示されるＦＡＸ画面（宛先番号入力画面）を説明するための図である。本画面は、ＬＣＤタッチパネル５００において「ＦＡＸ」キー５５５が押下された場合に表示される。また、本画面には、電話やＦＡＸの宛先番号を入力するための宛先番号入力フィールド６０１、パルス回線及びトーン回線を切り替えるパルス／トーンキー６０２が表示される。さらに、本画面には、回線接続確立後に原稿の読み込みを開始するダイレクト送信を行うか否かを切り替えるダイレクトキー６０３、デジタル符号化された信号をデコードするか否かを切り替えるデコードキー６０４が表示される。また、本画面には、ハンドセット１１１や子電話１１２をオフフックすることなく、画像形成装置１０１をオフフック状態とするオフフックキー６０５、各操作をキャンセルするキャンセルキー６０６、及び各操作の実行を確定するＯＫキー６０７が表示される。
【００４６】
以下に、画像形成装置１０１がスリープ状態にある場合に実行されるスリープ復帰処理について説明する。
【００４７】
図７は、第１の実施の形態に係る情報処理装置の制御方法としてのスリープ復帰処理の手順を示すフローチャートである。図７の処理は、画像形成装置１０１がスリープ状態にある場合に実行される。
【００４８】
まず、ＣＰＬＤ２１０は、ＦＡＸユニット１０７からオフフックに起因して出力されたＩＮＴ＿ＦＡＸ信号３１５（以下、「オフフック割り込み」という。）を受けたか否かを判定する（ステップＳ７０１）。オフフック割り込みを受けたと判定した場合、ＣＰＬＤ２１０は第１の電源制御ＩＯ信号Ｖ＿ＯＮ３０９を出力することによってリレースイッチ３０３をオンに切り替える。これにより、電源３０１から電力が供給され、ＣＰＵ２０１がスリープ状態から復帰する（ステップＳ７０２）。一方、オフフック割り込みを受けていないと判定した場合、ＣＰＬＤ２１０はオフフック割り込みを受けるまで待機する。
【００４９】
次いで、ＣＰＵ２０１は、ＦＡＸユニット１０７に電話回線１１３が挿入されているか（接続されているか）否かを判定する（ステップＳ７０３）。ステップＳ７０３において、ＣＰＵ２０１は、ＦＡＸユニット１０７に電話回線１１３が挿入されているか否かを問合せ、これに応答して、ＦＡＸユニット１０７は、電話回線１１３の接続状態をＣＰＵ２０１に返信する。なお、ＦＡＸユニット１０７に電話回線１１３が挿入されているか否かは、ＦＡＸユニット１０７が電話回線１１３の回線電圧を確認し、当該回線電圧を検知することによって判定される。ステップＳ７０３においてＦＡＸユニット１０７に電話回線１１３が挿入されていると判定した場合、ＣＰＵ２０１は、ステップＳ７０１で受けたオフフック割り込みの要因（以下、「オフフック要因」という。）がハンドセット１１１のオフフックであるか子電話１１２のオフフックであるかを判定する（ステップＳ７０４）。一方、ステップＳ７０３においてＦＡＸユニット１０７に電話回線１１３が挿入されていない（非接続）と判定された場合、ＣＰＵ２０１は処理をステップＳ７０６に進める。
【００５０】
ステップＳ７０４において、ＣＰＵ２０１は、ＦＡＸユニット１０７に対してオフフック要因がハンドセット１１１のオフフックであるか子電話１１２のオフフックであるかを問合せる。ＦＡＸユニット１０７は、ハンドセット１１１及び子電話１１２に印加されている電圧によってハンドセット１１１及び子電話１１２のフック状態を判別する。その判別結果に基づき、ＦＡＸユニット１０７は、オフフック要因がハンドセット１１１のオフフックであるか子電話１１２のオフフックであるかをＣＰＵ２０１に通知する。なお、ハンドセット１１１及び子電話１１２のフック状態はＦＡＸユニット１０７の動作時において常に検知可能である。ここで、オフフック要因がハンドセット１１１のオフフックであると判定された場合、ＣＰＵ２０１はスリープ状態からスタンバイ状態に遷移し、ＬＣＤタッチパネル５００を点灯する（ステップＳ７０５）（表示制御手段）。一方、ステップＳ７０４においてオフフック要因が子電話１１２であると判定された場合、ＣＰＵ２０１は処理をステップＳ７０６に進める。ステップＳ７０６では、ＣＰＵ２０１はスタンバイ状態に遷移せずにスリープ状態を維持し、ＬＣＤタッチパネル５００を点灯させないまま、本処理を終了する。
【００５１】
ステップＳ７０５においてＬＣＤタッチパネル５００を点灯すると、ＣＰＵ２０１はユーザにＦＡＸ送信先の宛先番号を入力させるための宛先番号入力画面（図６）の表示イベントを発行（ステップＳ７０７）する。その後、ＣＰＵ２０１は、当該宛先番号入力画面をＬＣＤタッチパネル５００に表示し（ステップＳ７０８）、本処理を終了する。
【００５２】
なお、図７の処理では、ＬＣＤタッチパネル５００の点灯後に宛先番号入力画面の表示イベントが発行される場合を説明したが、この場合、ＬＣＤタッチパネル５００の画面がちらつく可能性がある。したがって、スリープ復帰処理では、宛先番号入力画面の表示イベントを発行した後にＬＣＤタッチパネル５００を点灯してもよい。
【００５３】
図７のスリープ復帰処理によれば、電話回線１１３がＦＡＸユニット１０７に挿入され且つハンドセット１１１のオフフックが要因であるオフフック割り込みを受けたと判別された場合にはＬＣＤタッチパネル５００が点灯される。一方、電話回線１１３がＦＡＸユニット１０７に挿入されていない場合には、オフフック割り込みを受けたと判別されていても、ＬＣＤタッチパネル５００が点灯されない。これにより、ハンドセット１１１のオフフックを行ったユーザは、電話回線１１３ＦＡＸユニット１０７に挿入されないために通話機能やＦＡＸ機能が使えない状況をＬＣＤタッチパネル５００の点灯状況によって知ることができる。これにより、通話機能やＦＡＸ機能が使えない状況であっても、ハンドセット１１１のオフフックを行ったユーザがＬＣＤタッチパネル５００へ通信先の電話番号を入力するのを防止することができる。その結果、ユーザに無駄な行為を強いるのを避けることができる。
【００５４】
また、電話回線１１３がＦＡＸユニット１０７に挿入されていない場合には通話機能やＦＡＸ機能が使えない。したがって、ユーザが通信先の電話番号の入力を行うためのＬＣＤタッチパネル５００の点灯は無意味である一方、ＬＣＤタッチパネル５００の点灯によって無駄な電力が消費される。これに対して、図７のスリープ復帰処理では、電話回線１１３がＦＡＸユニット１０７に挿入されていない場合には、ＬＣＤタッチパネル５００が点灯されない。これにより、ユーザの利便性を損なうことなく効果的に消費電力を削減することができる。
【００５５】
さらに、図７のスリープ復帰処理では、オフフック要因が子電話１１２のオフフックである場合、ＬＣＤタッチパネル５００は点灯されない。子電話１１２はその本体に番号入力部及び表示部を有し、ユーザが子電話１１２のオフフックを行った場合、ユーザは通信先の電話番号の入力をＬＣＤタッチパネル５００で行う必要が無い。したがって、通信先の電話番号の入力のために画像形成装置１０１のＬＣＤタッチパネル５００を点灯させる必要がなく、ＬＣＤタッチパネル５００の点灯による電力の消費を避けることができる。すなわち、ユーザの利便性を損なうことなく効果的に消費電力を低減することができる。
【００５６】
次に、本発明の第２の実施の形態に係る情報処理装置の制御方法について説明する。本実施の形態は、その構成、作用が上述した第１の実施の形態と基本的に同じであるので、重複した構成、作用については説明を省略し、以下に異なる構成、作用についての説明を行う。
【００５７】
図８は、本発明の第２の実施の形態に係る情報処理装置の制御方法としてのスリープ復帰処理においてＬＣＤタッチパネルに表示される宛先番号入力画面を示す図である。
【００５８】
本実施の形態において、宛先番号入力画面は、「ＦＡＸ」キー５５５が押下された時、若しくは、ハンドセット１１１又は子電話１１２がオフフックされた時にＬＣＤタッチパネル５００に表示される。宛先番号入力画面は、通話機能及びＦＡＸ機能を実行する際の画像形成装置１０１のステータスを表示するステータスフィールド８０１を含む。ここで、電話回線１１３がＦＡＸユニット１０７に挿入されていない場合、ユーザは宛先番号入力画面において宛先番号入力フィールド６０１に宛先番号を入力しても通話及びＦＡＸの送信を行うことはできない。したがって、ステータスフィールド８０１を用いて電話回線１１３がＦＡＸユニット１０７に挿入されていない旨を、例えば、「ケーブルの接続状態を確認してください」等の文字列（メッセージ）を表示してユーザに通知する。
【００５９】
図９は、本発明の第２の実施の形態に係る情報処理装置の制御方法としてのスリープ復帰処理の手順を示すフローチャートである。
【００６０】
図９において、ステップＳ７０１及びＳ７０２の実行後、ステップＳ７０３において、電話回線１１３がＦＡＸユニット１０７に挿入されていないと判定された場合、画像形成装置１０１はスリープ状態からスタンバイ状態に遷移する。その後、ＬＣＤタッチパネル５００が点灯される（ステップＳ９０１）。次いで、ＣＰＵ２０１は、宛先番号入力画面（図８）の表示イベントを発行し（ステップＳ９０２）、ＬＣＤタッチパネル５００に宛先番号入力画面を表示する（ステップＳ９０３）。その後、ＣＰＵ２０１は、当該宛先番号入力画面のステータスフィールド８０１に電話回線１１３がＦＡＸユニット１０７に挿入されていないことをユーザに通知するメッセージを表示し（ステップＳ９０４）、本処理を終了する。
【００６１】
図９の処理によれば、電話回線１１３がＦＡＸユニット１０７に挿入されていない場合は、ＬＣＤタッチパネル５００にその旨を示すメッセージが表示される。これにより、ユーザは画像形成装置１０１に電話回線１１３が接続されておらず、通話機能やＦＡＸ機能が使用不可能であることを容易に把握することができる。その結果、ユーザが無駄な行為を行うのを確実に避けることができる。
【００６２】
次に、本発明の第３の実施の形態に係る情報処理装置の制御方法について説明する。本実施の形態は、その構成、作用が上述した第１の実施の形態と基本的に同じであるので、重複した構成、作用については説明を省略し、以下に異なる構成、作用についての説明を行う。
【００６３】
図１０は、本発明の第３の実施の形態に係る情報処理装置の制御方法としてのスリープ復帰処理の手順を示すフローチャートである。
【００６４】
図１０において、ＣＰＬＤ２１０は、ＦＡＸユニット１０７から、電話着信又はＦＡＸ着信のいずれかの着信割り込みを受けたか否かを判定する（ステップＳ１００１）（着信受付手段）。着信割り込みを受けたと判定した場合、ＣＰＬＤ２１０はＣＰＵ２０１をスリープ状態から復帰させる（ステップＳ１００２）。次いで、スリープ状態から復帰したＣＰＵ２０１は、オフフック割り込みを受けたか否かを判定する（ステップＳ１００３）。ステップＳ１００３においてオフフック割り込みを受けたと判定した場合、ＣＰＵ２０１は、電話着信中であるか否かを判定する（ステップＳ１００４）。ステップＳ１００４において、電話着信中であると判定された場合（ステップＳ１００４でＹＥＳ）、ＣＰＬＤ２１０は処理をステップＳ７０６に進める。一方、ステップＳ１００４において電話着信中ではないと判定された場合、つまり、ＦＡＸ着信中である場合は、ＣＰＬＤ２１０は処理をステップＳ７０３に進め、ステップＳ７０３以降の処理を実行する。
【００６５】
図１０のスリープ復帰処理によれば、オフフック割り込みを受けたと判別されていても、電話着信中であれば、ＬＣＤタッチパネル５００が点灯されない。電話着信中にユーザがオフフックを行う場合はユーザが電話を受ける場合に他ならず、ユーザが通信先への発信行為を行うことはない。したがって、通信先の電話番号の入力のためにＬＣＤタッチパネル５００が点灯される必要がなく、ＬＣＤタッチパネル５００の点灯による電力の消費を避けることができる。すなわち、ユーザの利便性を損なうことなく効果的に消費電力を低減することができる。
【００６６】
次に、本発明の第４の実施の形態に係る情報処理装置の制御方法について説明する。本実施の形態は、その構成、作用が上述した第１の実施の形態と基本的に同じであるので、重複した構成、作用については説明を省略し、以下に異なる構成、作用についての説明を行う。
【００６７】
図１１は、本発明の第４の実施の形態に係る情報処理装置の制御方法としてのスリープ復帰処理の手順を示すフローチャートである。
【００６８】
図１１において、ステップＳ７０１の実行後、ステップＳ７０２において画像形成装置１０１がスリープ状態から復帰すると、ＣＰＵ２０１は、画像形成装置１０１の認証機能が有効か否かを判定する（ステップＳ１１０１）。ステップＳ１１０１において認証機能が有効でないと判定された場合、ステップＳ７０３以降の処理を実行する。ステップＳ１１０１において認証機能が有効であると判定された場合、ＣＰＵ２０１はスリープ状態からスタンバイ状態に遷移し、ＬＣＤタッチパネル５００を点灯する（ステップＳ１１０２）。次いで、ＣＰＵ２０１はＬＣＤタッチパネル５００に認証ログイン画面を表示する（ステップＳ１１０３）。
【００６９】
ＣＰＵ２０１は、ユーザによるログイン操作に基づき、認証ログインが行われたか否かを判定する（ステップＳ１１０４）。ステップＳ１１０４において認証ログインが行われていないと判定した場合は、ＣＰＵ２０１はユーザによるログイン操作が行われるまで待機する。一方、ステップＳ１１０４において認証ログインが行われたと判定した場合、ＣＰＵ２０１は宛先番号入力画面の表示イベントを発行する（ステップＳ１１０５）。その後、ＣＰＵ２０１は、ＬＣＤタッチパネル５００に宛先番号入力画面を表示し（ステップＳ１１０６）、本処理を終了する。
【００７０】
図１１のスリープ復帰処理によれば、認証機能が有効である場合において、オフフック割り込みを受けたと判別されると、ユーザの認証操作を受け付けるＬＣＤタッチパネル５００が点灯される。これにより、ユーザは、スリープ状態からの復帰ボタンである節電キー５０９を押下する等の操作を行うことなく、オフフックを行うだけでユーザ認証操作を行うことができる。その結果、ユーザの利便性を向上させることができる。
【００７１】
本発明は、上述の各実施の形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、本発明は、１以上の機能を実現する回路（例えば、ＡＳＩＣ）によっても実現可能である。
【符号の説明】
【００７２】
１０１  画像形成装置
１０７  ＦＡＸユニット
１１３  電話回線
２０１  ＣＰＵ
２１０  ＣＰＬＤ
５００  ＬＣＤタッチパネル  
【図１】
2017118420.tif 000003
【図２】
2017118420.tif 000004
【図３】
2017118420.tif 000005
【図４】
2017118420.tif 000006
【図５】
2017118420.tif 000007
【図６】
2017118420.tif 000008
【図７】
2017118420.tif 000009
【図８】
2017118420.tif 000010
【図９】
2017118420.tif 000011
【図１０】
2017118420.tif 000012
【図１１】
2017118420.tif 000013